(57)【要約】  本明細書の実施形態は無線通信ネットワーク（１）における無線デバイス（１０）の通信を処理するための無線デバイス（１０）に関し、無線通信ネットワーク（１）における無線ネットワークノード（１２）は、セル上で無線カバレッジを提供する。無線デバイスは、無線ネットワークノード（１２）から、無線デバイス（１０）が第１の状態にあるとき、無線デバイス（１０）が状態遷移または初期アクセスの間に選択することを許可されるセルの１つまたは複数のビームを示すビーム構成を受信する。さらに、無線デバイスは、ビーム構成を考慮して、セルへの初期アクセスまたは状態遷移を実行する。【選択図】図１
2020532203.tif 000002
【特許請求の範囲】
【請求項１】
無線通信ネットワーク（１）における無線デバイス（１０）の通信を処理するために前記無線デバイス（１０）によって実行される方法であって、前記無線通信ネットワーク（１）における無線ネットワークノード（１２）がセル上で無線カバレッジを提供し、前記方法は、
前記無線ネットワークノード（１２）から、前記無線デバイス（１０）が第１の状態にあるとき、前記無線デバイス（１０）が状態遷移または初期アクセスの間に、セルのどの１つまたは複数のビームを選択することを許可されるかを示すビーム構成を受信すること（２１１）と、
前記ビーム構成を考慮して、前記セルへの初期アクセスまたは状態遷移を実行する（２１２）ことを含む、方法。
【請求項２】
請求項１に記載の方法であって、前記ビーム構成は、強度または品質の閾値、不要ビームのリスト、好ましいビームのリスト、許可されたビームのリスト、または許可されていないビームのリストを含み、それによって、前記ビーム構成は、前記無線デバイスが前記状態遷移または前記初期アクセスの間に選択することを許可される前記セルの１つまたは複数のビームを示す、方法。
【請求項３】
請求項１または２に記載の方法であって、前記セルへの前記初期アクセスまたは前記状態遷移を実行すること（２１２）は、前記受信されたビーム構成に基づいて、ビームを選択または再選択することを含む、方法。 
【請求項４】
請求項１から３のいずれか１項に記載の方法であって、前記無線ネットワークノード（１２）から、前記初期アクセスを拒否する拒否指標を、前記セルに再びアクセスする方法に関する追加情報を伴って受信すること（２１３）をさらに含む、方法。
【請求項５】
請求項１から４のいずれか１項に記載の方法であって、前記ビーム構成は、システム情報における構成情報として、前記初期アクセスの拒否の間に、または、ランダムアクセス要求に対する応答として、受信される、方法。 
【請求項６】
無線通信ネットワーク（１）における無線デバイス（１０）の通信を処理するために無線ネットワークノード（１２）によって実行される方法であって、前記無線ネットワークノード（１２）は、前記無線通信ネットワーク（１）におけるセル上で無線カバレッジを提供し、前記方法は
前記無線デバイス（１０）が第１の状態にあるときに、前記無線デバイスが初期アクセスまたは状態遷移の間に選択することが許可される１つまたは複数のビームを示すビーム構成を、前記無線デバイス（１０）に送信すること（２２１）を含む、方法。
【請求項７】
請求項６に記載の方法であって、前記ビーム構成は、強度または品質の閾値、不要ビームのリスト、好ましいビームのリスト、許可されたビームのリスト、許可されていないビームのリストを含み、それによって、前記ビーム構成は、前記状態遷移または初期アクセスの間に前記無線デバイスが選択することを許可される前記セルの１つまたは複数のビームを示す、方法。
【請求項８】
請求項６または７に記載の方法であって、
条件に基づいて前記無線デバイスによる前記初期アクセスを拒否すること（２２２）をさらに含む、方法。
【請求項９】
請求項８に記載の方法であって、前記初期アクセスを拒否すること（２２２）は、前記セルに再びアクセスする方法に関する追加情報を前記無線デバイスに提供することを含む、方法。
【請求項１０】
請求項６から９のいずれか１項に記載の方法であって、前記ビーム構成は、システム情報における構成情報として、前記初期アクセスの拒否の間に、またはランダムアクセス要求に対する応答として、提供される、方法。 
【請求項１１】
無線通信ネットワーク（１）における無線デバイス（１０）の通信を処理するための前記無線デバイス（１０）であって、無線通信ネットワーク（１）における無線ネットワークノードはセル上で無線カバレッジを提供するように構成され、前記無線デバイスは、
前記無線ネットワークノード（１２）から、前記無線デバイス（１０）が第１の状態にあるとき、前記無線デバイスが状態遷移または初期アクセスの間に、セルのどの１つまたは複数のビームを選択することを許可されるかを示すビーム構成を受信し、
前記ビーム構成を考慮して、前記セルへの初期アクセスまたは状態遷移を実行する、ように構成される、無線デバイス。
【請求項１２】
請求項１１に記載の無線デバイス（１０）であって、前記ビーム構成は、強度または品質の閾値、不要ビームのリスト、好ましいビームのリスト、許可されたビームのリスト、または許可されていないビームのリストを含み、それによって、前記ビーム構成は、前記無線デバイスが前記状態遷移または初期アクセスの間に選択することを許可される前記セルの１つまたは複数のビームを示す、無線デバイス。
【請求項１３】
請求項１１または１２に記載の無線デバイス（１０）であって、前記無線デバイス（１０）は、前記受信されたビーム構成に基づいて、ビームを選択または再選択することによって、前記セルへの前記初期アクセスまたは前記状態遷移を実行するように構成される、無線デバイス。 
【請求項１４】
請求項１１から１３のいずれか１項に記載の無線デバイス（１０）であって、前記無線デバイス（１０）は前記無線ネットワークノード（１２）から、前記初期アクセスを拒否する拒否指標を、前記セルに再びアクセスする方法に関する追加情報を伴って受信するようにさらに構成される、無線デバイス。
【請求項１５】
請求項１１から１４のいずれか１項に記載の無線デバイス（１０）であって、ビーム構成は、システム情報における構成情報として、前記初期アクセスの拒否の間に、または、ランダムアクセス要求に対する応答として受信される、無線デバイス。 
【請求項１６】
無線通信ネットワーク（１）における無線デバイス（１０）の通信を処理するための無線ネットワークノード（１２）であって、前記無線ネットワークノード（１２）は、無線通信ネットワーク（１）におけるセル（１１）上で無線カバレッジを提供するように構成され、前記無線ネットワークノード（１２）は、
前記無線デバイス（１０）が第１の状態にあるときに、前記無線デバイスが初期アクセスまたは状態遷移の間に選択することを許可される１つまたは複数のビームを示すビーム構成を前記無線デバイスに送信するように構成される、無線ネットワークノード。
【請求項１７】
請求項１６に記載の無線ネットワークノード（１２）であって、前記ビーム構成は、強度または品質の閾値、不要ビームのリスト、好ましいビームのリスト、許可されたビームのリスト、または許可されていないビームのリストを含み、それによって、前記ビーム構成は、前記状態遷移または前記初期アクセスの間に前記無線デバイスが選択することを許可される前記セルの１つまたは複数のビームを示す、無線ネットワークノード。
【請求項１８】
請求項１６または１７に記載無線ネットワークノード（１２）であって、前記無線ネットワークノードは、条件に基づいて前記無線デバイスによる前記初期アクセスを拒否するようにさらに構成される、無線ネットワークノード。 
【請求項１９】
請求項１８に記載の無線ネットワークノード（１２）であって、前記無線ネットワークノードは、前記セルに再びアクセスする方法に関する追加情報を前記無線デバイスに提供することによって、前記初期アクセスを拒否するように構成される、無線ネットワークノード。
【請求項２０】
請求項１６から１９のいずれか１項に記載の無線ネットワークノード（１２）であって、ビーム構成は、システム情報における構成情報として、前記初期アクセスの拒否の間に、またはランダムアクセス要求に対する応答として、提供される、無線ネットワークノード。 
【請求項２１】
無線通信ネットワークにおける通信を処理するための処理回路を有する無線デバイスであって、無線通信ネットワークにおける無線ネットワークノードはセル上で無線カバレッジを提供するように構成され、前記処理回路は、
前記無線ネットワークノードから、前記無線デバイスが第１の状態にあるとき、前記無線デバイスが状態遷移または初期アクセスの間に、セルのどの１つまたは複数のビームを選択することを許可されるかを示すビーム構成を受信し、
前記ビーム構成を考慮して、前記セルへの初期アクセスまたは状態遷移を実行する、ように構成される、無線デバイス。
【請求項２２】
無線通信ネットワークにおいて通信を取り扱うための処理回路を有する無線ネットワークノードであって、前記無線ネットワークノードは、無線通信ネットワーク内のセル上で無線カバレッジを提供するように構成され、前記処理回路は、
前記無線デバイスが第１の状態にあるときに、前記無線デバイスが初期アクセスまたは状態遷移の間に選択することを許可される１つまたは複数のビームを示すビーム構成を、前記無線デバイスに送信するように構成される、無線ネットワークノード。
【発明の詳細な説明】
【技術分野】
【０００１】
本明細書の実施形態は、無線デバイス、無線ネットワークノード、および無線通信に関してそれらにおいて実行される方法に関する。さらに、本明細書では、コンピュータプログラム製品およびコンピュータ可読記憶媒体も提供される。特に、本明細書の実施形態は、無線デバイスと無線通信ネットワークとの間の通信を処理することに関する。
【背景技術】
【０００２】
典型的な無線通信ネットワークでは、無線通信デバイス、移動局、ステーション（局）（ＳＴＡ）、および／またはユーザ装置（ＵＥ）としても知られる無線デバイスは、無線アクセスネットワーク（ＲＡＮ）を介して１つまたは複数のコアネットワーク（ＣＮ）と通信する。ＲＡＮは、セルまたはセルエリアとしても知られるサービスエリアに分割される地理的エリアをカバーし、各セルはアクセスノード、例えば、Ｗｉ−Ｆｉアクセスポイントまたは無線基地局（ＲＢＳ）などの無線ネットワークノードによってサービスされ、いくつかのネットワークでは、例えば、ＮｏｄｅＢ、ｅＮｏｄｅＢ、またはｇＮｏｄｅＢと呼ばれることもある。セルは、アクセスノードによって無線カバレッジが提供される地理的エリアである。アクセスノードは、無線周波数で動作して、アクセスノードの範囲内の無線デバイスとエアインターフェースを介して通信する。アクセスノードは、ダウンリンク（ＤＬ）を介して無線デバイスと通信し、無線デバイスは、アップリンク（ＵＬ）を介してアクセスノードと通信する。
【０００３】
ＵＭＴＳ（Universal Mobile Telecommunications System)は、第二世代（２Ｇ）ＧＳＭ（登録商標）（Global System for Mobile Communications）から発展した第三世代電気通信ネットワークである。ＵＭＴＳ地上無線アクセスネットワーク（ＵＴＲＡＮ）は本質的に、ユーザ装置との通信のために広帯域符号分割多元接続（ＷＣＤＭＡ）および／または高速パケットアクセス（ＨＳＰＡ）を使用するＲＡＮである。第三世代パートナーシッププロジェクト（３ＧＰＰ）として知られるフォーラムにおいて、電気通信供給者は、現在および将来の世代のネットワークおよびＵＴＲＡＮのための標準を具体的に提案し、合意し、拡張されたデータレートおよび無線容量を調査している。いくつかのＲＡＮにおいて、例えばＵＭＴＳにおけるように、いくつかのアクセスノードは、例えば陸線またはマイクロ波によって、無線ネットワークコントローラ（ＲＮＣ）または基地局コントローラ（ＢＳＣ）のようなコントローラノードに接続され、コントローラノードはそこに接続された複数のアクセスノードのさまざまなアクティビティを監督し、調整する。ＲＮＣは、通常、１つまたは複数のコアネットワークに接続される。
【０００４】
進化型パケットシステム（Evolved Packet System（ＥＰＳ））の仕様は、第三世代パートナーシッププロジェクト（３ＧＰＰ）内で完了しており、この作業は、４Ｇおよび５Ｇネットワークのような、今後の３ＧＰＰリリースで続けられている。ＥＰＳは、ロングタームエボリューション（ＬＴＥ）無線アクセスネットワークとしても知られるＥ−ＵＴＲＡＮ（Evolved Universal Terrestrial Radio Access Network）と、ＳＡＥ（System Architecture Evolution）コアネットワークとしても知られる進化型パケットコア（Evolved Packet Core（ＥＰＣ）)とを備える。Ｅ−ＵＴＲＡＮ／ＬＴＥは、アクセスノードがＥＰＣコアネットワークに直接接続される３ＧＰＰ無線アクセス技術である。したがって、ＥＰＳの無線アクセスネットワーク（ＲＡＮ）は、１つまたは複数のコアネットワークに直接接続されたアクセスノードを備える本質的に「フラット」なアーキテクチャを有する。
【０００５】
出現しつつある５Ｇ技術では、送信側および受信側ビームフォーミングなどのビームフォーミングを利用することを可能にするので、非常に多くの送信アンテナ素子および受信アンテナ素子の使用が非常に興味を集めている。送信側ビームフォーミングは、送信機が他の方向の送信信号を抑制しながら、選択された１つまたは複数の方向の送信信号を増幅することができることを意味する。同様に、受信側では、受信機が選択された１つまたは複数の方向からの信号を増幅する一方で、他の方向からの不要な信号を抑制することができる。
【０００６】
ビームフォーミングは、信号が個々の接続に対してより強くなることを可能にする。送信側では、これは所望の方向における送信電力の集中によって達成され、受信側では、これは所望の方向における受信機感度の増加によって達成される。このビームフォーミングは、接続のスループットおよびカバレッジを向上させる。それはまた、望ましくない信号からの干渉を低減することを可能にし、それによって、時間−周波数グリッド内の同じリソース、いわゆるマルチユーザ多入力多出力（ＭＩＭＯ）を使用して、複数の個々の接続上でのいくつかの同時送信を可能にする。
【０００７】
チャネル状態情報基準信号（ＣＳＩ−ＲＳ）と呼ばれるスケジュールされた基準信号は、特定の接続に必要なときに送信される。チャネル状態情報（ＣＳＩ）は、チャネル品質インジケータ（ＣＱＩ）、プリコーディング行列インジケータ（ＰＭＩ）、およびランクインジケータ（ＲＩ）を含む。ＣＱＩは、無線デバイスによって無線ネットワークノードに報告される。無線デバイスは、変調方式及び符号化方式を無線ネットワークノードに指示する。ダウンリンクチャネル状態を予測するために、無線デバイスによるＣＱＩフィードバックが、入力として使用され得る。ＣＱＩ報告は、ＰＭＩおよびＲＩに基づくことができる。ＰＭＩは、無線デバイスによって無線ネットワークノードに示され、ダウンリンク送信のためにどのプリコーディング行列が使用され得るかはＲＩによって決定される。無線デバイスは、無線ネットワークノードへのＲＩ、すなわち、無線デバイスへのダウンリンク送信に使用されるべきレイヤの数をさらに示す。ＣＳＩ−ＲＳをいつどのように送信するかの決定は、無線ネットワークノードによって行われ、その決定はいわゆる測定グラント（許可）を使用して、関係する無線デバイスにシグナリングされる。無線デバイスが測定グラントを受信した場合、それは対応するＣＳＩ−ＲＳで測定する、すなわち、測定グラントによって示されたＣＳＩ−ＲＳで測定する。無線ネットワークノードは、無線デバイスがそれらのビームに関するより詳細な情報を報告することを可能にするために、その無線デバイスのために強力であることが知られている（１つまたは複数の）ビームを使用してのみ、ＣＳＩ−ＲＳを無線デバイスに送信することを選択することができる。あるいは、無線ネットワークノードは、例えば無線デバイスが移動している場合に新しいビームの迅速な検出を可能にするために、その無線デバイスに対して強力であることが知られていないビームを用いてもＣＳＩ−ＲＳを送信することを選択し得る。
【０００８】
Ｎｅｗ  Ｒａｄｉｏ（ＮＲ）ネットワークの無線ネットワークノードは、他の基準信号も送信する。例えば、無線ネットワークノードは、制御情報またはデータを無線デバイスに送信するときに、いわゆる復調基準信号（ＤＭＲＳ）を送信し得る。そのような送信は、典型的にはその無線デバイスに対して強力であることが知られているビームを使用して行われる。
【０００９】
ＬＴＥでは、無線デバイスが重い負荷のセル内のシステムにアクセスしている状況を回避または改善するためのある種の保護メカニズムが存在する。
【００１０】
第一に、ネットワークは、システム情報のブロードキャストにおけるcellBarredおよびintraFreqReselection情報要素を使用して、特定のセルまたは周波数を除外し得る。そのようなセルまたは周波数は、いかなる無線デバイスによっても使用されてはならない。
【００１１】
第二に、ネットワークは、セルにアクセスする無線デバイスの数を制限するために、アクセスクラスの禁止（barring）を適用し得る。アクセスクラスの禁止は、ネットワークが許可された呼の試みのパーセンテージを設定することによって、異なるアクセスクラスを区別することを可能にし、例えば、ネットワークは緊急呼が常に許可されることを可能にし得るが、他の目的のために行われる呼の５０％のみを可能にし得る。アクセスクラスの禁止は、セルの禁止よりも細かい粒度（制度）のアクセス制御を可能にする。これは、TS 36.331 v14.0.0に以下のように記載されている。
1＞  タイマーT302または"Tbarring"が実行されている場合：
2＞  セルへのアクセスが禁止されているとみなす；
1＞  その他、SystemInformationBlockType2が"AC barring parameter"を含む場合：
[..]
3＞  0≦rand＜1の範囲に一様に分布する乱数'rand'を引く；
3＞  'rand'が"AC barring parameter"に含まれるac-BarringFactorにより示される値より小さい場合：
4＞  セルへのアクセスが禁止されていないとみなす；
3＞  その他：
4＞  セルへのアクセスが禁止されているとみなす；
1＞  その他：
2＞  セルへのアクセスが禁止されていないとみなす：
1＞  セルへのアクセスが禁止され、タイマーT302と"Tbarringの両方が実行されていない場合：
2＞  0≦rand＜1の範囲で一様に分布する乱数'rand'を引く；
2＞  "AC barring parameter"に含まれるac-BarringTimeを用いて、次のように計算されたタイマー値でタイマー"Tbarring"を開始する：
"Tbarring" = (0.7 + 0.6 * rand）* ac-BarringTime；
【００１２】
最後に、ネットワークは、無線リソース制御（ＲＲＣ）接続拒否との接続セットアップまたは接続再開試行を拒否することができ、これにより、ネットワークは個々の無線デバイスのアクセスを制御することができるが、ランダムアクセスリソースの潜在的な過負荷を防止することはできない。これは、36.331 v14.0.0に次のように記述されている。
UEによるRRCConnectionRejectの受信
UEは、以下のことを行う：
1＞  タイマーT300を停止する；
1＞  MACをリセットし、MAC構成を解除する；
1＞  NB-IoTを除いて、タイマー値がwaitTimeに設定された状態でタイマーT302を開始する；
[..]
1＞  deprioritisationReqが含まれ、UEが、deprioritisationを伴うRRC Connection Rejectをサポートする場合：
2＞  deprioritisationTimerに設定されたタイマー値がシグナリングされた状態でタイマーT325を開始または再開する；
2＞  T325が満了するまで、deprioritisationReqを保存する；
メモ：UEには、別途指定されていない限り、E-UTRANまたはその他のRATでのRRC接続に関係なく、（専用または共通の信号による）セル再選択絶対優先割り当てに関係なく、優先度指定リクエストが保存される．
[..]
2＞  上位レイヤに、RRC接続の確立の失敗、および、モバイル発信呼、モバイル発信号、モバイル着信アクセス、および、モバイル発信ＣＳフォールバックのためのNB-IoTを除くアクセス禁止が適用可能であることを通知し、その場合、手順は終了する；
【００１３】
その後、拡張された待ち時間が導入され、この手順で使用することができる。 
ＮＲでは、セルに関連する複数のビームが存在し得る。 
したがって、ＩＤＬＥまたはＩＮＡＣＴＩＶＥからＣＯＮＮＥＣＴＥＤへの遷移、およびハンドオーバなどの初期アクセス中に、無線デバイスは、以下の意味でビームにアクセスすると言うことができる：
- 無線デバイスは、セルに関連付けられた少なくとも１つのビームを選択する；
- ランダムアクセスチャネル（ＲＡＣＨ）構成を知ることによって、無線デバイスは選択されたビームに関連付けられたＭＳＧ１などの少なくとも１つのメッセージを送信し；
- 無線デバイスは、同じＤＬビーム内のランダムアクセス応答（ＲＡＲ）を監視する。
【００１４】
ＮＲにおけるセルは、複数の送信受信ポイント（ＴＲＰ）によって構成することができるので、無線デバイスによって原理的に選択することができる、異なるビーム内の負荷は全く異なる可能性がある。したがって、無線デバイスは、多くのＲＡＣＨ試行のために、例えばＵＬにおいて、非常に高い負荷を有するビームにアクセスする可能性があり、それは、システムに有害であり得る。それは、例えば、ＮＲにおいて、いくつかの無線デバイスが信頼性のために、例えば、複数のビームに関連付けられた複数のＲＡＣＨプリアンブルを送信することを許可され、それによって、負荷が増加することを考慮すると、さらに悪化する可能性がある。したがって、これは、無線通信ネットワークの性能の制限または低下につながる可能性がある。
【発明の概要】
【００１５】
本明細書の実施形態の目的は、無線通信ネットワークにおいてビームフォーミングを使用するときに、無線通信ネットワークの性能を改善するメカニズムを提供することである。
【００１６】
一態様によれば、この目的は、無線通信ネットワークにおいて無線デバイスの通信を処理するために無線デバイスによって実行される方法を提供することによって達成される。無線通信ネットワークにおける無線ネットワークノードは、セル上で無線カバレッジを提供する。無線デバイスは、第１の状態、例えば、セル内の非アクティブ状態にあり、またはセルに入り、状態遷移または初期アクセス中に無線デバイスがセルのどの１つまたは複数のビームを選択することを許可されるかを示すビーム構成を受信する。次いで、無線デバイスは、ビーム構成を考慮して、セルへの初期アクセスまたは状態遷移を実行する。
【００１７】
別の態様によれば、目的は、無線通信ネットワークにおける無線デバイスの通信を処理、例えば、セットアップするための、ネットワークノードとも呼ばれる無線ネットワークノードによって実行される方法を提供することによって達成される。無線ネットワークノードは、無線通信ネットワークにおけるセル上で無線カバレッジを提供する。無線ネットワークノードは、無線デバイスが第１の状態にあるときに、初期アクセスまたは状態遷移中に無線デバイスがどの１つまたは複数のビームを選択することを許可されるかを示すビーム構成を無線デバイスに送信する。無線ネットワークノードは、無線デバイスによる初期（最初の）アクセスをさらに拒否するか、または受け入れることができる。ビーム構成は、初期アクセスの拒否中に、ランダムアクセス要求に対する応答として、または同様のものとして、例えばシステム情報における構成情報として提供されてもよい。拒否は例えば、別のビームおよび／または、例えば、その無線デバイスに専用の別のＲＡＣＨリソースを使用して、セルに再びアクセスする方法に関する追加の情報をさらに含み得る。
【００１８】
さらに別の態様によれば、この目的は、無線通信ネットワークにおいて無線デバイスの通信を処理するための無線デバイスを提供することによって達成される。無線通信ネットワークにおける無線ネットワークノードは、セル上で無線カバレッジを提供するように構成される。無線デバイスは、無線デバイスが第１の状態にあるときに、無線デバイスが、状態遷移または初期アクセス中に選択することを許可されるセルの１つまたは複数のビームを示すビーム構成を、無線ネットワークノードから受信するように構成される。無線デバイスは、ビーム構成を考慮して、セルへの初期アクセスまたは状態遷移を実行するようにさらに構成される。
【００１９】
さらに別の態様によれば、この目的は、無線通信ネットワークにおいて無線デバイスの通信を処理するための無線ネットワークノードを提供することによって達成される。無線ネットワークノードは、無線通信ネットワークにおけるセル上で無線カバレッジを提供するように構成される。無線ネットワークノードは、無線デバイスが第１の状態にあるときに、無線デバイスが初期アクセスまたは状態遷移の間に選択することを許可される１つまたは複数のビームを示すビーム構成を無線デバイスに送信するように構成される。
【００２０】
さらに別の態様によれば、この目的は、本明細書の方法を実行するように構成されたそれぞれの処理回路を有する無線ネットワークノードおよび無線デバイスを提供することによって達成される。
【００２１】
本明細書では、少なくとも１つのプロセッサ上で実行されると、無線ネットワークノードまたは無線デバイスによって実行されるように、少なくとも１つのプロセッサに本明細書の方法を実行させる命令を備えるコンピュータプログラム製品も提供される。さらに、本明細書では、少なくとも１つのプロセッサ上で実行されたときに、無線ネットワークノードまたは無線デバイスによって実行されるように、少なくとも１つのプロセッサに本明細書の方法を実行させる命令を備えるコンピュータプログラム製品をその上に格納したコンピュータ可読記憶媒体が提供される。
【００２２】
本明細書の実施形態は例えば、接続状態または初期アクセスへの状態遷移を実行しようと試みる、アイドル状態または非アクティブ状態などの第１の状態にある無線デバイスからの、ビームに関連するシステムリソース、特にランダムアクセスリソースの過負荷から保護されるシステムを可能にするか、または提供する。これにより、システム全体のロバスト性および容量が増大する。方法は、無線デバイスがネットワーク（ＮＷ）からの要件および／または無線デバイスからの要件の両方を満たすことができるビームを選択することを可能にする。その場合、ＮＷおよび無線デバイスの両方が、より良好なパフォーマンスを経験することができる。したがって、本明細書の実施形態は、無線通信ネットワークの性能を改善する。
【図面の簡単な説明】
【００２３】
以下、添付の図面に関連して実施形態をより詳細に説明する。
【図１】図１は、本明細書の実施形態による無線通信ネットワークを示す概略図を示す。
【図２ａ】図２ａは、本明細書の実施形態による、概略的に組み合わされたフローチャートおよびシグナリングスキームである。
【図２ｂ】図２ｂは、本明細書の実施形態による、無線デバイスによって実行される方法を示すフローチャートである。
【図２ｃ】図２ｃは、本明細書の実施形態による、無線ネットワークノードによって実行される方法を示すフローチャートである。
【図３】図３は、本明細書のいくつかの実施形態による概略フローチャートである。
【図４】図４は、本明細書のいくつかの実施形態による概略フローチャートである。
【図５】図５は、本明細書のいくつかの実施形態による概略フローチャートである。
【図６】図６は、本明細書の実施形態による無線デバイスを示すブロック図である。
【図７】図７は、本明細書の実施形態による無線ネットワークノードを示すブロック図である。
【図８Ａ】図８Ａは、中間ネットワークを介してホストコンピュータに接続された電気通信ネットワークを概略的に示す。
【図８Ｂ】図８Ｂは、基地局を介して、部分的に無線接続を介してユーザ装置と通信するホストコンピュータの一般化されたブロック図である。
【図９】図９は、ホストコンピュータ、基地局、およびユーザ装置を含む通信システムにおいて実施される方法を示すフローチャートである。
【図１０】図１０は、ホストコンピュータ、基地局、およびユーザ装置を含む通信システムにおいて実施される方法を示すフローチャートである。
【図１１】図１１は、ホストコンピュータ、基地局、およびユーザ装置を含む通信システムにおいて実施される方法を示すフローチャートである。
【図１２】図１２は、ホストコンピュータ、基地局、およびユーザ装置を含む通信システムにおいて実施される方法を示すフローチャートである。
【発明を実施するための形態】
【００２４】
本明細書の実施形態は、一般に無線通信ネットワークに関する。図１は、無線通信ネットワーク１を示す概略図である。無線通信ネットワーク１は、１つ以上のＲＡＮと、１つ以上のＣＮとを有する。無線通信ネットワーク１は、いくつかの可能な実装を挙げると、Ｎｅｗ  Ｒａｄｉｏ（ＮＲ）、Ｗｉ−Ｆｉ、ＬＴＥ、ＬＴＥ−Ａｄｖａｎｃｅｄ、第五世代（５Ｇ）、広帯域符号分割多重アクセス（ＷＣＤＭＡ）、Global System for Mobile communications/enhanced Data rate for GSM Evolution（ＧＳＭ／ＥＤＧＥ）、Worldwide Interoperability for Microwave Access（ＷｉＭａｘ）、またはUltra Mobile Broadband（ＵＭＢ）である。本明細書の実施形態は、５Ｇコンテキストにおいて特に興味深い最近の技術動向に関する。しかしながら、実施形態は例えば、ＷＣＤＭＡ及びＬＴＥのような既存の無線通信システムの更なる開発にも適用可能である。
【００２５】
無線通信ネットワーク１では、無線デバイス、例えば、移動局、非アクセスポイント（非ＡＰ）ＳＴＡ、ＳＴＡ、ユーザ装置（ＵＥ）および／または無線端末などの無線デバイス１０は、１つまたは複数のアクセスネットワーク（ＡＮ）、例えばＲＡＮを介して１つまたは複数のコアネットワーク（ＣＮ）と通信する。「無線デバイス」は、任意の端末、無線通信端末、ユーザ装置、マシンタイプコミュニケーション（ＭＴＣ）デバイス、デバイスツーデバイス（Ｄ２Ｄ）端末、またはノード、例えば、スマートフォン、ラップトップ、携帯電話、センサ、中継器、モバイルタブレット、またはネットワークノードによってサービスされる領域内のネットワークノードと無線通信を使用して通信することができる小型基地局さえも意味する非限定的な用語であることを当業者は理解されたい。
【００２６】
無線通信ネットワーク１は、単に無線ネットワークノード１２とも呼ばれ、地理的エリア、第１セル１１または第１サービスエリア上で無線カバレッジを提供すること、またはＮＲ、ＬＴＥ、Ｗｉ−Ｆｉ、ＷｉＭＡＸまたはそれに類似した第１無線アクセス技術（ＲＡＴ）を含む。無線ネットワークノード１２は、送受信ポイント、モビリティ管理エンティティ（ＭＭＥ）などのネットワークノード、サービングゲートウェイ、無線ローカルエリアネットワーク（ＷＬＡＮ）アクセスポイントまたはアクセスポイントステーション（ＡＰ  ＳＴＡ）、アクセスノード、アクセスコントローラ、基地局、例えば、ノードＢなどの無線基地局、進化型ノードＢ（ｅＮＢ、ｅＮｏｄｅＢ）、ｇＮｏｄｅＢ、基地トランシーバ局、無線リモートユニット、アクセスポイント基地局、基地局ルータ、無線基地局の送信構成、スタンドアロンアクセスポイント、または、例えば、使用される第１の無線アクセス技術および用語に応じて、無線ネットワークノード１２によってサービスされるセル内の無線デバイスと通信することができる任意の他のネットワークユニットまたはノードであってもよい。無線ネットワークノード１２は、サービングネットワークと呼ぶことができる。ここで、第１セルは、ソースビームと呼ぶことができ、当該サービスネットワークノードが無線デバイス１０へのＤＬ通信、および、無線デバイス１０からのＵＬ通信の形態で、無線デバイス１０に対してサービスを提供し、通信を行う。
【００２７】
第２の無線ネットワークノード１３はさらに、第２のセル１４、または、ＮＲ、ＬＴＥ、Ｗｉ−Ｆｉ、ＷｉＭＡＸまたは類似のような第２の無線アクセス技術（ＲＡＴ）の第２のサービスエリア上で無線カバレッジを提供することができる。第１のＲＡＴと第２のＲＡＴは、同一または異なるＲＡＴであり得る。第２の無線ネットワークノード１３は、送受信ポイント、例えば、無線ローカルエリアネットワーク（ＷＬＡＮ）アクセスポイントまたはアクセスポイントステーション（ＡＰ ＳＴＡ）のような無線ネットワークノード、アクセスノード、アクセスコントローラ、基地局、例えば、ノードＢのような無線基地局、進化型ノードＢ（ｅＮＢ、ｅＮｏｄｅＢ）、ｇＮｏｄｅＢ、基地トランシーバ局、無線リモートユニット、アクセスポイント基地局、基地局ルータ、無線基地局の送信構成、スタンドアロンアクセスポイント、または、例えば、使用される第２の無線アクセス技術および用語に応じて、第２の無線ネットワークノード１３によってサービスされるエリア内の無線デバイスと通信することができる任意の他のネットワークユニットまたはノードであってもよい。第２の無線ネットワークノード１３は、隣接ネットワークノードと呼ぶことができる。ここで、第２のセル１４は、１つまたは複数の隣接ビームまたはターゲットビームを有する隣接セルまたはターゲットセルとよぶことができる。
【００２８】
サービスエリアは無線カバレッジのエリアを定義するために、セル、ビーム群、モビリティ測定ビーム、または同様のものとして示され得ることに留意されたい。無線ネットワークノードは、それぞれのサービスエリアを介してＲＳをビームで送信する。したがって、第１および第２の無線ネットワークノードは、それぞれの無線ネットワークノードのサービスエリアをカバーするために必要と考えられる数のＴｘビームを使用して、ＣＳＩ−ＲＳまたはビーム基準信号（ＢＲＳ）を、時間的に、多数の異なる方向に繰り返し送信し得る。したがって、無線ネットワークノード１２は、無線通信ネットワーク１における第１のサービスエリア１１に対して、第１の基準信号、例えば第１のＣＳＩ−ＲＳを使用して、第１のサービスエリア上で無線カバレッジを提供する。第２の無線ネットワークノード１３は、無線通信ネットワークにおいて、各々が基準信号、例えば、１つ以上の第２のＣＳＩ−ＲＳを有する複数のビームを使用して、第２のサービスエリア１４上で無線カバレッジを提供する。
【００２９】
ハンドオーバ実行中に、ターゲットセル内でアクセスされうる許可されたビームまたは許可されていないビームのリストを無線デバイス１０に通知することによって、重負荷を有するビームを回避するためのメカニズムが使用されうる。しかし、本明細書の実施形態は、初期アクセスまたは状態遷移における問題に対処する。
【００３０】
本明細書の実施形態は例えば、ＲＡＣＨチャネルが例えば、ＲＲＣ_ＩＤＬＥまたはＲＲＣ_ＩＮＡＣＴＩＶＥ状態などのスリープ状態と、ＲＲＣ_ＣＯＮＮＥＣＴＥＤ状態などのアクティブ状態との間の、初期アクセスおよび／または状態遷移の間に、マルチビームシステムにおいて過負荷になることから保護する方法を提供する。本明細書の実施形態によれば、無線デバイス１０は、以下のランダムアクセス手順を実行することができる。
- 無線デバイス１０は、無線ネットワークノード１２によって、特定の構成されたビームに関連付けられたＲＡＣＨリソースのアクセスを好むか、または回避するように構成される;
- 無線デバイス１０は、無線通信ネットワークに潜在的な過負荷問題を引き起こすことなくアクセス可能であるように、ネットワークによって暗黙的または明示的に示されたビームを選択または再選択する;
- 無線デバイス１０は、選択されたビームに関連付けられた接続要求、たとえば、ＲＲＣ接続要求、ＲＲＣ接続再開要求、ＲＲＣ接続再構成要求、または同等物などの初期アクセスメッセージを送信することによって、ビームのセルにアクセスし、選択されたビームのランダムアクセス応答（ＲＡＲ）を監視する。
【００３１】
本明細書の実施形態によれば、無線ネットワークノード１２は、無線ネットワークノード１２が状態遷移（または初期アクセス）の間に無線デバイス１０が選択することを好む１つまたは複数のビームについて無線デバイス１０に通知する。したがって、無線ネットワークノード１２は、無線デバイス１０がどの１つまたは複数のビームを選択するかについて影響を及ぼすか、または制御し、それによって、例えば、接続モードへの状態遷移を実行しようとする無線デバイスからの、ビーム、特にランダムアクセスリソースに関連するシステムリソースの過負荷を回避することできる。
【００３２】
図２は、本明細書の実施形態による、組み合わされたシグナリングスキームおよびフローチャートである。無線デバイス１０は、第１の状態、例えば、非アクティブ状態にあり、セル内にいるか、セルに入る。
【００３３】
［アクション２０１］
無線ネットワークノード１２は、初期アクセスまたは状態遷移の間に無線デバイスがどの１つまたは複数のビームを選択するかを制御または指示する（示す）ビーム構成（設定）を無線デバイス１０に提供する。ビーム構成は構成情報（configuration information）として、例えば、示されるようなシステム情報において、初期アクセスの拒否の間に、またはランダムアクセス要求に対する応答として提供されてもよい。
【００３４】
［アクション２０２］
無線デバイス１０は、任意選択的に、ビーム構成を考慮してビームを選択してもよい。
【００３５】
［アクション２０３］
無線デバイス１０は、ビーム構成を考慮して、セルへの初期アクセスを実行する。例えば、ビームの選択は、ビーム構成に基づいてもよく、または初期アクセス自体はビーム構成に基づいてもよい。
【００３６】
［アクション２０４］
無線ネットワークノード１２は、無線デバイス１０による初期アクセスをさらに拒否または許可する（受け入れる）ことができる。拒否は例えば、別のビームおよび／または、例えば、その無線デバイスに専用の別のＲＡＣＨリソースを使用して、セルに再びアクセスする方法に関する追加の情報をさらに含み得る。
【００３７】
ここで、本明細書の実施形態による、無線通信ネットワーク１における無線デバイス１０の通信を処理するために無線デバイス１０によって実行される方法アクションを、図２ｂに示すフローチャートを参照して説明する。アクションは、以下に述べる順序で行われる必要はなく、任意の適切な順序で行われてもよい。いくつかの実施形態で実行されるアクションは、破線のボックスでマークされる。無線通信ネットワーク１における無線ネットワークノード１２は、セル上で無線カバレッジを提供し、例えば、セル内の無線デバイスにサービスを提供する。セルは、１つまたは複数のビームを有し得る。
【００３８】
［アクション２１１］
無線デバイス１０は、無線ネットワークノード１２から、無線デバイス１０が第１の状態、例えばアイドル状態にあるときに、無線デバイス１０は、状態遷移または初期アクセスの間に選択することを許可される、セル、例えば第１のセルまたは第２のセル、のいずれの１つまたは複数のビームを示すビーム構成を受信する。ビーム構成は、強度または品質の閾値、不要なビームのリスト、好ましいビームのリスト、許可されたビームのリスト、または許可されていないビームのリストを含むことができ、それによって、ビーム構成は、状態遷移または初期アクセスの間に無線デバイス１０が選択することを許可されるセルの１つまたは複数のビームを示すことができる。ビーム構成は、システム情報における構成情報として、初期アクセスの拒否の間に、またはランダムアクセス要求に対する応答として提供されてもよい。
【００３９】
［アクション２１２］
無線デバイス１０は、ビーム構成を考慮して、セルへの初期アクセスまたは状態遷移を実行する。無線デバイス１０は、受信されたビーム構成に基づいて、ビームを選択または再選択することによって、セルへの初期アクセスまたは状態遷移を実行することができる。
【００４０】
［アクション２１３］
無線デバイス１０は、無線ネットワークノード１２から、セルに再びアクセスする方法に関する追加情報を伴って、初期アクセスを拒否する拒否指標を受信することができる。次いで、無線デバイスは、拒否指標を考慮してアクション２１２を実行することができる。
【００４１】
ここで、本明細書の実施形態による、無線通信ネットワーク１における無線デバイス１０の通信を処理するために無線ネットワークノード１２によって実行される方法アクションを、図２ｃに示すフローチャートを参照して説明する。アクションは、以下に述べる順序で行われる必要はなく、任意の適切な順序で行われてもよい。いくつかの実施形態で実行されるアクションは、破線のボックスでマークされる。無線通信ネットワーク１における無線ネットワークノード１２は、セル上で無線カバレッジを提供するか、またはセル内の無線デバイスにサービスを提供する。セルは、１つまたは複数のビームを有し得る。
【００４２】
［アクション２２１］
無線ネットワークノード１２は、無線デバイス１０が第１の状態にあるときに、無線デバイスが初期アクセスまたは状態遷移の間にどの１つまたは複数のビームを選択することを許可されるかを示すビーム構成を無線デバイス１０に送信する。ビーム構成は、強度または品質の閾値、不要なビームのリスト、好ましいビームのリスト、許可されたビームのリスト、または許可されていないビームのリストを含むことができ、それによって、ビーム構成は、状態遷移または初期アクセスの間に無線デバイスがセルのどの１つまたは複数のビームを選択することを許可されるかを示すことができる。ビーム構成は、システム情報における構成情報として、初期アクセスの拒否の間に、またはランダムアクセス要求に対する応答として提供されてもよい。なお、無線ネットワークノード１２は、異なるビームの負荷に基づいてビーム構成を決定してもよい。
【００４３】
［アクション２２２］
無線ネットワークノード１２は、条件に基づいて、無線デバイスによる初期アクセスを拒否することができる。例えば、無線ネットワークノードは、無線デバイスが高負荷のビームを使用していることを決定することができ、または、異なるビームに対する負荷のバランスをとる（負荷分散する）ために、初期アクセスを拒否することができる。無線ネットワークノード１２は、無線デバイスに、セルに再びアクセスする方法に関する追加情報を提供することによって、初期アクセスを拒否することができる。
【００４４】
本開示では、「ビーム」という用語が使用される。これらのビームは、ビーム識別子を暗示的または明示的に示し得る基準信号の検出によって、無線デバイス１０によって識別され得る。例えば、ＮＲにおいて、これらのビームは、ＮＲ同期信号ブロック（ＳＳＢ）バーストセットを送信することができ、セット内の各ＳＳＢはＮＲプライマリ同期信号（ＮＲ−ＰＳＳ)／ＮＲセカンダリ同期信号（ＮＲ−ＳＳＳ)／ＮＲ物理ブロードキャストチャネル（ＮＲ−ＰＢＣＨ）を含み、各ＳＳＢは、同じセルのための同じセル識別情報（ＩＤ）を符号化する。各ＳＳＢはまた、ビーム識別メカニズムとして動作する「時間インデックス」を符号化する。ＳＳＢセットは、セル選択、セル再選択、および初期アクセスを実行するためにＩＤＬＥ／ＩＮＡＣＴＩＶＥ無線デバイスによって監視される主（プライマリ）信号／チャネルであり、無線デバイス１０はセルにアクセスし、ランダムアクセスを開始するために少なくとも１つのビームを選択する。ＮＲでは、別のタイプの基準信号、すなわちＣＳＩ−ＲＳをビーム形成することもできる。これらは、ＲＲＣ_ＣＯＮＮＥＣＴＥＤ無線デバイスの両方において、ビーム管理およびモビリティ手順のために構成され得る。状態遷移については、無線デバイスが監視される特定のＣＳＩ−ＲＳリソースで構成され、ＲＡＣＨリソースに関連付けられて、狭いビームへの移行を直接迅速にすることができる。
【００４５】
輻輳ビームにおける初期アクセスを回避するために、ネットワークが無線デバイス１０を非アクティブ（スリープ）状態、例えば、ＲＲＣ_ＩＤＬＥまたはＲＲＣ_ＩＮＡＣＴＩＶＥに構成するためのメカニズムを図３に示す。
【００４６】
［アクション３０１］
無線ネットワークノード１２は、初期アクセスのためのビーム構成を無線デバイス１０に提供する。アクション３０１における許可された、許可されていない、および／または優先順位付けされたビームのビーム構成は、無線デバイス１０などのキャンピング無線デバイスによって読み取ることができるシステム情報に含めることができる。無線デバイス１０にどのような情報を提供することができるかについては、いくつかのバリエーションがある。無線ネットワークノード１２は、以下に列挙される１つまたはいくつかの代替情報を用いて無線デバイス１０を構成（設定）することができる。
【００４７】
一実施形態では、無線ネットワークノード１２が１つまたは複数のセルに関連付けられた許可ビームを示して、無線デバイス１０が示された１つまたは複数のセルについて示されたビームに関連付けられたＲＡＣＨを使用してランダムアクセス（ＲＡ）を実行するだけであることを無線デバイス１０に通知する。
【００４８】
それに加えて、または代替的に、無線ネットワークノード１２は、示された１つまたは複数のセルに対する示されたビームに関連付けられたＲＡＣＨを用いて無線デバイスがＲＡを実行してはいけないことを無線デバイス１０に知らせるために、その１つ又は複数のセルに関連付けられた非許容ビームを示す。情報は、無線デバイス１０が、示されたセルのいずれかの他のビームにアクセスする可能性があることを示す。
【００４９】
それに加えて、または代替的に、無線ネットワークノード１２は、その１つまたは複数のセルに関連付けられた優先順位付けされたビームを示して、示されたビームに関連付けられたＲＡに優先順位付けするように無線デバイス１０に通知することができる。これは示された１つまたは複数のセルに対して、優先順位付けされた又は何らかの優先情報と共に記載することができる。
【００５０】
それに加えて、または代替的に、無線ネットワークノード１２は、その１つまたは複数のセルに関連付けられたリダイレクトされたビームを示して、無線デバイス１０が示された１つまたは複数のセルに対する示されたビームに関連付けられたＲＡＣＨを使用してＲＡを実行するだけであることを無線デバイス１０に通知することができる。これらは許可されたビームにある程度類似しているが、別のメッセージおよび異なるシナリオで送信されてもよい。リダイレクトされたビームの指標はまた、無線ネットワークノード１２が、サブシーケンシャルＲＡＣＨ試行において特定の時間、周波数、および／またはプリアンブルリソースを使用するように無線デバイス１０に通知することができる、ＲＡＣＨリソースの明示的なリダイレクションであってもよい。
【００５１】
それに加えて、または代替的に、無線ネットワークノード１２は、上述の情報のいずれかに加えて、特定のＲＡＣＨリソース、たとえば、構成（設定）されたもののサブセットなどの有効性情報を含むことができ、これらのビームに関連するアクセスは、アクセスされるべき特定のＲＡＣＨリソースにアクセスされない。
【００５２】
［アクション３０２］
無線デバイス１０は、受信されたビーム構成に基づいてビームを選択することができる。
【００５３】
［アクション３０３］
無線デバイス１０は、選択されたビームに関連付けられたランダムアクセスリソースを使用して初期アクセスを実行する。
【００５４】
無線ネットワークノード１２によって、例えば、その１つまたは複数のセルに関連付けられた許可されたビームの指標を用いて構成されると、それがキャンプオンしているセルにアクセスしよう試みる無線デバイス１０は、現在選択されているビームが許可されたビームのリストの一部であるかどうか、および／または許可されたビームとして示されているかどうかを確認する。選択されたビームが許可される場合、無線デバイス１０は、無線デバイス１０が状態遷移を実行することを望む場合、そのビームにアクセスし得る。選択されたビームがそのリストの一部でない場合、無線デバイス１０はセル内ビーム再選択を実行することができ、これは、ｉ）例えば、最も強い測定結果、例えば、基準信号受信電力（ＲＳＲＰ）、基準信号受信品質（ＲＳＲＱ）、信号対干渉雑音比（ＳＩＮＲ）、または同等物、または任意の結合規則、例えば、許容ビームのリスト内の最も強いＲＳＲＰおよび最も強いＲＳＲＱなど、を有するビームを選択することなどの異なる基準に基づいて、行うことができる。セル内の許可されたビームのいずれも適切でないか、または検出されていない場合、無線デバイス１０は、セル再選択またはセル間ビーム再選択をトリガし得る。
【００５５】
無線ネットワークノード１２によって、その１つまたは複数のセルに関連付けられた許可されていないビームの指標を用いて構成されると、それがキャンプオンしているセルにアクセスしようと試みる無線デバイス１０は、現在選択されているビームが許可されていないビームのリストの一部であるかどうか、および／または許可されているビームとして示されているかどうかを確認することができる。そうでない場合、無線デバイス１０は、状態遷移を実行することを望む場合（すなわち、選択されたビームに関連するランダムアクセス手順を継続する場合）、そのビームにアクセスすることができる。選択されたビームがそのリストの一部である場合、無線デバイス１０は、ｉ）最も強い測定結果、例えば、ＲＳＲＰ、ＲＳＲＱ、ＳＩＮＲ、または同等物を有するビームを選択することなどの異なる基準に基づいて、または、許可されていないビームのリストにない任意の他のビーム内の、任意の結合規則、例えば、最も強いＲＳＲＰおよび最も強いＲＳＲＱなどに基づいて、行われ得る、セル内ビーム再選択を実行し得る。リスト内にない任意の選択されたビームが適切でないか、または検出されていない場合、無線デバイス１０は、セル再選択またはセル間ビーム再選択をトリガし得る。
【００５６】
無線ネットワークノード１２によって、その１つまたは複数のセルに関連付けられた優先ビームの指標を用いて構成されると、キャンプオンしているセルにアクセスしようと試みる無線デバイスは検出されたおよび／または適切なビーム（すなわち、無線状態の観点からアクセス可能である）のそのリストを確認し、優先ビームのリストと比較することができる。次に、無線デバイス１０は、検出された／適切な優先度を有するもの中から最も高い優先度を有するものを選択する。追加の条件、例えば、無線条件における特定の差異が、ネットワークによって推奨される優先順位付けに先行する条件を満たすことができる。
【００５７】
無線ネットワークノード１２によって、その１つまたは複数のセルに関連付けられたリダイレクトされたビームの指標を用いて構成されると、キャンプオンしているセルにアクセスしようと試みる無線デバイス１０は、検出されたおよび／または適切なビーム（すなわち、無線状態の観点からアクセス可能である）のそのリストを確認し、リダイレクトされたビームのリストと比較することができる。次に、無線デバイス１０は、リダイレクトされているビームのいずれか、例えば、最も強い測定結果を有するビームおよび／またはこれらの組み合わせにアクセスする。
【００５８】
［アクション３０４］
無線ネットワークノード１２は、初期アクセスを許可する（受け入れる）か、または拒否し、場合によっては、セルに再びアクセスする方法に関する追加情報を無線デバイス１０に返す。
【００５９】
ビーム構成情報は、ランダムアクセス応答（ＲＡＲ）で提供されてもよい。このメカニズムは図４に示されており、無線デバイス１０に提供される情報に関する１つまたはいくつかの代替物と組み合わせることができる。
【００６０】
［アクション４０１］
無線デバイス１０は、初期アクセスに対するビームを選択する。
【００６１】
［アクション４０２］
無線デバイス１０は、選択したビームに関連するランダムアクセスを実行する、すなわち、ランダムアクセス要求を送信する。
【００６２】
［アクション４０３］
無線ネットワークノード１２は、ランダムアクセス応答でランダムアクセス要求に応答し、初期アクセスのためのビーム構成を無線デバイス１０に提供する。
【００６３】
例えば、無線ネットワークノード１２は、ビーム選択を確認することができる。指標がないことは、選択されたビームの確認応答としての役割も果たすことができる。さらに、無線ネットワークノード１２は、そのセルまたは複数のセルに関連付けられた許容ビームを示して、無線デバイス１０が、示された１つまたは複数のセルに対する示されたビームに関連付けられたＲＡのみを実行することを無線デバイス１０に知らせることができる。
【００６４】
それに加えて、または代替的に、無線ネットワークノード１２は、無線デバイス１０が選択されたビームを使用して初期アクセスを実行すべきではないこと、および無線デバイス１０が任意の他のビームを再選択すべきであることを示すことができる。無線ネットワークノード１２はまた、無線デバイス１０が示された１つまたは複数のセルについて示されたビームに関連付けられたＲＡを実行しない（してはいけない）ことを無線デバイス１０に通知するために、その１つまたは複数のセルに関連付けられた許可されていないビームのリストを提供し得る。
【００６５】
それに加えて、または代替的に、無線ネットワークノード１２は、そのセル又は複数のセルに関連付けられた優先順位付けされたビームを示し、無線デバイス１０が、示されたセル又は複数のセルに優先順位付けされた情報でリストされ得る、示されたビームに関連付けられたＲＡを優先順位付けすべきであることを無線デバイス１０に示す。
【００６６】
それに加えて、または代替的に、無線ネットワークノード１２からのランダムアクセス応答は、アクセスされたビームが許可されなかったという指標と、これらが許可され、アクセスされるべきであるか、またはアクセスされることができることを無線デバイス１０に示すビームのリストとを含むことができる。リダイレクトされたビームの指標は、ＲＡＣＨリソースの明示的なリダイレクションであってもよく、無線ネットワークノード１２は、サブシーケンシャルＲＡＣＨ試行において特定の時間、周波数、および／またはプリアンブルリソースを使用するように無線デバイス１０に通知することができる。
【００６７】
［アクション４０４］
無線デバイス１０は、ビーム構成に関連付けられたランダムアクセスを実行することによって、初期アクセスを実行する。
【００６８】
無線ネットワークノード１２によって、そのセルまたは複数のセルに関連付けられた許可されたビームの指標を用いて構成されると、それがキャンプオンしているセルにアクセスしようと試みる無線デバイス１０は、現在選択されているビームが許可されたビームのリストの一部であるかどうか、および／または許可されたビームとして示されているかどうかを確認する。そうである場合、無線デバイス１０は、状態遷移を実行することを望む場合、そのビームにアクセスすることができる。選択されたビームがそのリストの一部でない場合、無線デバイス１０はｉ）最も強い測定結果（たとえば、ＲＳＲＰ、ＲＳＲＱ、ＳＩＮＲ、または同等物）を有するビームを選択すること、または許可されたビームのリスト内の任意の結合規則（たとえば、最も強いＲＳＲＰおよび最も強いＲＳＲＱなど）に基づいて行うことができる、セル内ビーム再選択を実行すべきである。セル内の許可されたビームのいずれも適切でないか、または検出されていない場合、無線デバイス１０は、セル再選択またはセル間ビーム再選択をトリガすべきである。
【００６９】
無線ネットワークノード１２によって、その１つまたは複数のセルに関連付けられた許可されていないビームの指標を用いて構成されると、それがキャンプオンしているセルにアクセスしようと試みる無線デバイス１０は、現在選択されているビームが許可されていないビームのリストの一部であるかどうか、および／または許可されていないビームとして示されているかどうかを確認する。そうでない場合、無線デバイス１０は、状態遷移を実行することを望む場合、すなわち、選択されたビームに関連するランダムアクセス手順を継続する場合、そのビームにアクセスすることができる。選択されたビームがそのリストの一部である場合、無線デバイス１０はｉ）最も強い測定結果（たとえば、ＲＳＲＰ、ＲＳＲＱ、ＳＩＮＲ、または同等物）を有するビームを選択すること、または許可されていないビームのリストにない任意の他のビーム内の任意の結合規則（たとえば、最も強いＲＳＲＰおよび最も強いＲＳＲＱなど）に基づいて行うことができる、セル内ビーム再選択を実行することができる。リストにない任意の選択されたビームが適切でないか、または検出されていない場合、無線デバイス１０は、セル再選択またはセル間ビーム再選択をトリガすべきである。
【００７０】
無線ネットワークノード１２によって、その１つまたは複数のセルに関連付けられた優先ビームの指標を用いて構成されると、キャンプオンしているセルにアクセスしようと試みる無線デバイス１０は検出されたおよび／または適切なビーム（すなわち、無線状態の観点からアクセス可能である）のそのリストを確認し、優先ビームのリストと比較する。次に、無線デバイス１０は、検出された／適切な優先度を有するもの中から最も高い優先度を有するものを選択する。例えば、無線ネットワークノード１２によって推奨される優先順位付けに先行して、無線条件におけるある差異があるなど、追加の条件が満たされてもよい。
【００７１】
無線ネットワークノード１２によって、その１つまたは複数のセルに関連付けられたリダイレクトされたビームの指標を用いて構成されると、キャンプオンしているセルにアクセスしようと試みる無線デバイス１０は、検出されたおよび／または適切なビームのそのリストを確認し（すなわち、無線状態の観点からアクセス可能である）、リダイレクトされたビームのリストと比較する。次に、無線デバイス１０は、リダイレクトされているものいずれか、例えば、最も強い測定結果を有するもの、および／またはこれらの組み合わせにアクセスする。
【００７２】
［アクション４０５］
無線ネットワークノード１２は、初期アクセスを受け入れるか、または拒否し、場合によっては、セルに再びアクセスする方法に関する追加情報を無線デバイス１０に返す。
【００７３】
構成情報、すなわちビーム構成は、代替的にまたは追加的に、接続要求、接続再開要求、ＩＮＡＣＴＩＶＥからの小さなデータ送信などの何らかの制御情報を有するＵＬデータパケット、または競合ベースのチャネルへのアクセスを必要とする任意の同等のメッセージで提供され得る。その応答は例えば、図５を参照して以下に提供される情報に関する１つまたはいくつかの代替に基づくビーム情報を含むことができるＲＲＣ接続拒否メッセージとすることができる。
【００７４】
［アクション５０１］
無線デバイス１０は、初期アクセスに対するビームを選択する。
【００７５】
［アクション５０２］
無線デバイス１０は、選択したビームに関連するランダムアクセスを実行することによって初期アクセスを実行する。
【００７６】
［アクション５０３］
無線ネットワークノード１２は、初期アクセスを拒否し、初期アクセスのためのビーム構成を無線デバイス１０に提供する。
【００７７】
例えば、無線ネットワークノード１２は、無線デバイス１０が示された１つまたは複数のセルについて示されたビームに関連付けられたＲＡを実行する初期アクセスを再試行するだけであることを無線デバイス１０に通知するために、そのセルまたは複数のセルに関連付けられた許可されたビームを示すことができる。
【００７８】
それに加えて、または代替的に、無線ネットワークノード１２は、無線デバイス１０が示された１つまたは複数のセルについて示されたビームに関連付けられたＲＡＣＨを使用して初期アクセスを再試行しない（してはいけない）ことを無線デバイス１０に通知するために、そのセルまたは複数のセルに関連付けられた許可されていないビームを示すことができる。この情報は、無線デバイス１０が、示されたセルのいずれかの他のビームにアクセスする可能性があることを示す。
【００７９】
それに加えて、または代替的に、無線ネットワークノード１２は、初期アクセスを再試行するときに、示されたビームに関連付けられたＲＡＣＨアクセスを優先するように無線デバイス１０に通知するために、そのセルまたは複数のセルに関連付けられた優先ビームを示す。優先順位付けされたビームは、示されたセルまたは複数のセルに対して、優先順位の高い順にリストされ、または、何らかの優先順位の情報を含むことができる。
【００８０】
それに加えて、または代替的に、無線ネットワークノード１２は、そのセル１１または複数のセルに関連付けられたリダイレクトされたビームを示して、無線デバイス１０が示されたセルまたは複数のセルに対する示されたビームに関連付けられた初期ＲＡＣＨ手順を再試行するだけであることを無線デバイス１０に通知し得る。これらのビームは、許可されたビームとある程度類似していてもよいが、ビームは、別のメッセージおよび異なるシナリオで送信されてもよい。リダイレクトされたビームの指標は、ＲＡＣＨリソースの明示的なリダイレクションであってもよく、無線ネットワークノード１２は、サブシーケンシャルＲＡＣＨ試行において特定の時間、周波数、および／またはプリアンブルリソースを使用するように無線デバイス１０に通知し得る。
【００８１】
［アクション５０４］
無線デバイス１０は、受信したビーム構成を用いて再度初期アクセスを実行する。
【００８２】
無線ネットワークノードによって、そのセルまたは複数のセルに関連付けられた許可されたビームの指標を用いて構成されると、無線デバイス１０はｉ）最も強い測定結果、例えば、ＲＳＲＰ、ＲＳＲＱ、ＳＩＮＲ、または同等物を有するビームを選択することなどの異なる基準に基づいて、または許可されたビームのリスト内の任意の結合規則、例えば、最も強いＲＳＲＰおよび最も強いＲＳＲＱなどに基づいて行われ得る、セル内ビーム再選択を実行し得る。セル内の許可されたビームのいずれも適切でないか、または検出されていない場合、無線デバイス１０は、セル再選択またはセル間ビーム再選択をトリガすべきである。
【００８３】
ネットワークによって、そのセルまたは複数のセルに関連付けられた許可されていないビームの指標を用いて構成されると、無線デバイス１０はｉ）最も強い測定結果、例えば、ＲＳＲＰ、ＲＳＲＱ、ＳＩＮＲ、または同等物を有するビームを選択することなどの異なる基準に基づいて、または許可されていないビームのリストにない任意の他のビーム内の任意の結合規則、例えば、最も強いＲＳＲＰおよび最も強いＲＳＲＱなどに基づいて行われ得る、セル内ビーム再選択を実行すべきである。リスト内に無い任意の選択されたビームが、適切でないか、または検出されていない場合、無線デバイス１０は、セル再選択またはセル間ビーム再選択をトリガし得る。
【００８４】
ネットワークによって、その１つまたは複数のセルに関連付けられた優先ビームの指標を用いて構成されると、無線デバイス１０はセル内ビーム再選択を実行し、検出されたおよび／または適切な、すなわち、無線状態の観点からアクセス可能なビームのそのリストを確認し、優先ビームのリストと比較する。次に、無線デバイス１０は、検出された、または、適切な優先順位を有するもの中から最も高い優先順位を有するものを選択する。追加の条件を満たすことができ、例えば、無線条件におけるある差は、無線ネットワークノード１２によって推奨される優先順位付けに先行することができる。
【００８５】
ネットワークによって、その１つまたは複数のセルに関連付けられたリダイレクトされたビームの指標を用いて構成されると、無線デバイス１０はｉ）最も強い測定結果、たとえば、ＲＳＲＰ、ＲＳＲＱ、ＳＩＮＲ、または同等物を有するビームを選択することなどの異なる基準に基づいて、または許可されたビームのリスト内の任意の結合規則、たとえば、最も強いＲＳＲＰおよび最も強いＲＳＲＱなどに基づいて行われ得る、セル内ビーム再選択を実行し得る。セル内の許可されたビームのいずれも適切でないか、または検出されていない場合、無線デバイス１０は、セル再選択またはセル間ビーム再選択をトリガし得る。
【００８６】
［アクション５０５］
無線ネットワークノード１２は初期アクセスを許可する（受け入れる）か、または拒否し、場合によっては、セルに再びアクセスする方法に関する追加情報を伴う。
【００８７】
ＲＡＣＨの後、無線ネットワークノード１２はビーム報告を実行するように無線デバイス１０を再構成することができ、その後、無線デバイス１０は、アクセスされたビームよりも負荷の少ないビームに向けてビームまたはビームリンクペアを切り替えることができる。
【００８８】
無線ネットワークノード１２は例えば、異なるビームにおける負荷に基づいて、強度または品質の閾値などの達成すべき条件を選択するために、ＣＳＩ−ＲＳのような好ましいビームを示すビーム構成を決定または構成することができる。
【００８９】
ビーム構成は、ビームインジケータで構成され、無線デバイス１０によって選択されるセルのどの１つまたは複数のビームを制御又は情報提供することである。したがって、無線デバイス１０は好ましい、またはいくつかの実施形態では好ましくないビームを示すビーム構成を受信する。ビーム構成は、強度または品質の閾値、不要ビームのリスト、または好ましいビームのリストを含むことができる。指標は、アクセスに適していないビームのリスト、または無線デバイスによって選択されるべきビームのための無線リンク品質閾値とすることができる。
【００９０】
一般的なシナリオでは、用語「無線ネットワークノード」が「送受信ポイント」で置き換えることができることに留意されたい。重要な観察が、典型的にはＲＳまたは異なる同期信号および送信されたＢＲＳに基づいて、送信受信ポイント（ＴＲＰ）間の区別を行うことが可能でなければならないことである。いくつかのＴＲＰは、同じ無線ネットワークノードに論理的に接続され得るが、それらが地理的に分離されているか、または異なる伝搬方向を指している場合、ＴＲＰは異なる無線ネットワークノードと同じ課題にさらされることになる。以降のセクションでは、用語「無線ネットワークノード」および「ＴＲＰ」が互換性があると考えることができる。
【００９１】
さらに、無線通信ネットワークはいくつかのネットワーク／ＲＡＮスライスに仮想的にネットワークスライスされてもよく、各ネットワーク／ＲＡＮスライスは１つまたは複数のタイプの無線デバイスおよび／または１つまたは複数のタイプのサービスをサポートする、すなわち、各ネットワークスライスは機能性の異なるセットをサポートすることに留意されたい。ネットワークスライシングは、ネットワーク／ＲＡＮスライスが異なるサービスおよびユースケースのために使用される可能性を導入し、これらのサービスおよびユースケースは異なるネットワークスライスにおいてサポートされる機能性に差異を導入し得る。各ネットワーク／ＲＡＮスライスは、それぞれのネットワークスライスのためのサービス／機能を提供する１つまたは複数のネットワークノードまたはネットワークノードの要素を備えることができる。各ネットワーク／ＲＡＮスライスは、ＲＡＮノードおよび／またはコアネットワークノードなどのネットワークノードを備えることができる。
【００９２】
図６は、無線通信ネットワーク１における無線デバイス１０の通信を処理するための、本明細書の実施形態による無線デバイス１０を示すブロック図である。無線ネットワークノード１２は、セル上で無線カバレッジを提供するように、例えば、無線デバイス１０にサービスを提供するように構成され、無線通信ネットワーク１は、第２の無線ネットワークノード１３をさらに有し得る。
【００９３】
無線デバイス１０は、本明細書の方法を実行するように構成された処理回路６０１、例えば、１つまたは複数のプロセッサを有し得る。
【００９４】
無線デバイス１０は、受信モジュール６０２、例えば、受信器または送受信器（トランシーバ）を有し得る。無線デバイス１０、処理回路６０１、および／または受信モジュール６０２は、無線デバイス１０が第１の状態にあるときに、無線デバイス１０が状態遷移または初期アクセスの間に、どの１つまたは複数のセルのビームを選択することを許可されるかを示すビーム構成を、無線ネットワークノード１２から受信するように構成される。例えば、無線デバイス１０、処理回路６０１、および／または受信モジュール６０２は、第１の状態、例えば、セル内の非アクティブ状態またはセルに入る状態において、無線デバイスが状態遷移または初期アクセスの間に選択するセルのビームを制御または示すビーム構成を受信するように構成され得る。ビーム構成は、強度または品質の閾値、不要なビームのリスト、または好ましいビームのリスト、許可されたビームのリスト、または許可されていないビームのリストを含むことができ、それによって、ビーム構成は、状態遷移または初期アクセスの間に無線デバイスが選択することを許可されるセルの１つまたは複数のビームを示すことができる。無線デバイス１０、処理回路６０１、および／または受信モジュール６０２は,無線ネットワークノード１２から、セルに再びアクセスする方法に関する追加情報を用いて、初期アクセスを拒否する拒否指標を受信するように構成され得る。ビーム構成は、システム情報における構成情報として、初期アクセスの拒否の間に、またはランダムアクセス要求に対する応答として提供されてもよい。
【００９５】
無線デバイス１０は、アクセスモジュール６０３、たとえば、送信器または送受信器（トランシーバ）を有し得る。無線デバイス１０、処理回路６０１、および／またはアクセスモジュール６０３は、ビーム構成を考慮して、セルへの初期アクセスまたは状態遷移を実行するように構成される。
【００９６】
無線デバイス１０は、選択モジュール６０４を有し得る。無線デバイス１０、処理回路６０１、および／または選択モジュール６０４は、初期アクセスのためにビームを選択するように構成されてもよく、これはビーム構成に基づいてもよい。無線デバイス１０、処理回路６０１、および／または選択モジュール６０４は、受信されたビーム構成に基づいてビームを選択または再選択することによって、セルへの初期アクセスまたは状態遷移を実行するように構成され得る。
【００９７】
無線デバイス１０は、メモリ６０５をさらに有するメモリは、強度品質、指標（指示）、ビーム、ＣＳＩ−ＲＳ、閾値、実行されているときに本明細書で開示される方法を実行するためのアプリケーションなどに関するデータを記憶するために使用される１つまたは複数のユニットを備える。無線デバイス１０は、送信器、受信器、送受信器（トランシーバ）、および／または１つまたは複数のアンテナを備える通信インターフェースを有し得る。
【００９８】
無線デバイス１０について本明細書で説明される実施形態による方法は、それぞれ、少なくとも１つのプロセッサ上で実行されると、無線デバイス１０によって実行されるように、少なくとも１つのプロセッサに、本明細書で説明されるアクションを実行させる命令、すなわち、ソフトウェアコード部分を含む、例えば、コンピュータプログラムプロダクト６０６またはコンピュータプログラムの手段によって実装される。コンピュータプログラム６０６は、コンピュータ可読記憶媒体６０７、例えばディスク、ユニバーサルシリアルバス（ＵＳＢ）スティック等に記憶されてもよい。コンピュータプログラム製品を格納したコンピュータ可読記憶媒体６０７は、少なくとも１つのプロセッサ上で実行されると、無線デバイス１０によって実行されるように、少なくとも１つのプロセッサに本明細書で説明されるアクションを実行させる命令を含み得る。いくつかの実施形態では、コンピュータ可読記憶媒体が非一時的なコンピュータ可読記憶媒体であってもよい。
【００９９】
したがって、無線デバイスは、処理回路およびメモリを有することができ、前記メモリは前記処理回路によって実行可能な命令を含み、それによって、当該無線デバイス１０は本明細書の方法を実行するように動作可能である。
【０１００】
図７は、無線通信ネットワークにおける無線デバイス１０の通信を処理するための、本明細書の実施形態による、ｇＮＢ、ｅＮＢ、または同様のものなどの無線ネットワークノード１２を示すブロック図である。無線ネットワークノード１２は、無線通信ネットワーク１におけるのセル１１上で無線カバレッジを提供するように構成され、例えば、無線ネットワークノード１２は、セル１１またはセル１１内の無線デバイス１０にサービスを提供するように構成される。
【０１０１】
無線ネットワークノード１２は、本明細書の方法を実行するように構成された処理回路７０１、例えば、１つまたは複数のプロセッサを有し得る。
【０１０２】
無線ネットワークノード１２は、送信モジュール７０２、送信器、または送受信器（トランシーバ）を有することができる。無線ネットワークノード１２、処理回路７０１、および／または送信モジュール７０２は無線デバイス１０が第１の状態にあるときに、無線デバイス１０が初期アクセスまたは状態遷移の間にどの１つまたは複数のビームを選択することを許可されるか、すなわち、無線デバイス１０にビーム構成を送信することを示すビーム構成を無線デバイス１０に送信するように構成される。ビーム構成は、初期アクセスの拒否の間に、ランダムアクセス要求に対する応答として、または同様のものとして、例えばシステム情報における構成情報として提供されてもよい。ビーム構成は、強度または品質の閾値、不要なビームのリスト、好ましいビームのリスト、許可されたビームのリスト、または許可されていないビームのリストを含むことができ、それによって、ビーム構成は、状態遷移または初期アクセスの間に無線デバイスが選択することを許可されるセルの１つまたは複数のビームを示すことができる。
【０１０３】
無線ネットワークノード１２は、受信モジュール７０３、受信器、または送受信器（トランシーバ）を有することができる。無線ネットワークノード１２、処理回路７０１、および／または受信モジュール７０３は、ランダムアクセス要求、初期アクセス要求、または同様のものを受信するように構成され得る。
【０１０４】
無線ネットワークノード１２は、アクセスモジュール７０４を備えることができる。無線ネットワークノード１２、処理回路７０１、および／またはアクセスモジュール７０４は条件に基づいて、無線デバイスによる初期アクセスを拒否する、すなわち、無線デバイス１０による初期アクセスを拒否または許可するように構成され得る。無線ネットワークノード１２、処理回路７０１、および／またはアクセスモジュール７０４は、セルに再びアクセスする方法に関する追加情報を無線デバイスに提供することによって、初期アクセスを拒否するように構成され得る。拒否は例えば、別のビームおよび／または、例えば、その無線デバイスに専用の別のＲＡＣＨリソースを使用して、セルに再びアクセスする方法に関する追加の情報をさらに含み得る。
【０１０５】
無線ネットワークノード１２は、メモリ７０５をさらに有する。メモリは、ビームの指標、強度品質、閾値、ビーム、セル、実行されているときに本明細書で開示される方法を実行するためのアプリケーションなどのデータを記憶するために使用される１つまたは複数のユニットを備える。無線ネットワークノード１２は、送信器、受信器、送受信器（トランシーバ）、および／または１つまたは複数のアンテナを備える通信インターフェースを有することができる。
【０１０６】
無線ネットワークノード１２について本明細書で説明される実施形態による方法はそれぞれ、少なくとも１つのプロセッサ上で実行されると、無線ネットワークノード１２によって実行されるように、少なくとも１つのプロセッサに本明細書で説明されるアクションを実行させる命令、すなわち、ソフトウェアコード部分を有する、たとえば、コンピュータプログラム製品７０６またはコンピュータプログラムの手段によって実装される。コンピュータプログラム７０６は、コンピュータ可読記憶媒体７０７、例えばディスク、ＵＳＢスティック、または同様のものに記憶されてもよい。コンピュータプログラムが記憶されたコンピュータ可読記憶媒体７０７は、少なくとも１つのプロセッサ上で実行されると、無線ネットワークノード１２によって実行されるように、少なくとも１つのプロセッサに本明細書で説明する動作を実行させる命令を含むことができる。いくつかの実施形態では、コンピュータ可読記憶媒体が非一時的なコンピュータ可読記憶媒体であってもよい。
【０１０７】
したがって、無線ネットワークノード１２は、処理回路およびメモリを有することができ、当該メモリは前記処理回路によって実行可能な命令を備え、それによって、当該無線ネットワークノード１２は本明細書の方法を実行するように動作可能である。
【０１０８】
いくつかの実施形態では、より一般的な用語「無線ネットワークノード」が使用され、それは無線デバイスおよび／または別のネットワークノードと通信する、任意のタイプの無線ネットワークノードまたは任意のネットワークノードに対応することができる。ネットワークノードの例は、ＮｏｄｅＢ、マスターｅＮＢ、セカンダリｅＮＢ、マスターセルグループ（ＭＣＧ）またはセカンダリセルグループ（ＳＣＧ）に属するネットワークノード、基地局（ＢＳ）、ＭＳＲ  ＢＳなどのマルチスタンダード無線（ＭＳＲ）無線ノード、ｅＮｏｄｅＢ、ネットワークコントローラ、無線ネットワークコントローラ（ＲＮＣ）、基地局コントローラ（ＢＳＣ）、中継器、ドナーノード制御中継器、基地トランシーバ局（ＢＴＳ）、アクセスポイント（ＡＰ）、送信ポイント、送信ノード、リモート無線ユニット（ＲＲＵ）、リモート無線ヘッド（ＲＲＨ）、分散アンテナシステム（ＤＡＳ）内のノード、コアネットワークノード、例えば移動交換局（ＭＳＣ）、移動管理エンティティ（ＭＭＥ）など、運用および保守（Ｏ＆Ｍ）、運用サポートシステム（ＯＳＳ）、自己組織化ネットワーク（ＳＯＮ）、測位ノード、例えばＥ−ＳＭＬＣ（Evolved Serving Mobile Location Centre）、ＭＤＴ（Minimizing Drive Test）など、である。
【０１０９】
いくつかの実施形態では非限定的な用語である無線デバイスまたはユーザ装置（ＵＥ）が使用され、それはセルラまたはモバイル通信システムにおいてネットワークノードおよび／または別のＵＥと通信する任意のタイプの無線デバイスを指す。ＵＥの例は、ターゲットデバイス、デバイスツーデバイス（Ｄ２Ｄ)ＵＥ、近接対応ＵＥ（別名はＰｒｏＳｅ  ＵＥ）、マシンツーマシン（Ｍ２Ｍ）通信が可能なマシンタイプＵＥまたはＵＥ、ＰＤＡ、ＰＡＤ、タブレット、モバイル端末、スマートフォン、ラップトップ埋め込み型（ＬＥＥ）、ラップトップ搭載機器（ＬＭＥ）、ＵＳＢドングルなどである。
【０１１０】
実施形態は、５Ｇについて説明される。しかしながら、実施形態はＵＥが信号（例えば、データ）、例えば、ＬＴＥ、ＬＴＥ ＦＤＤ／ＴＤＤ、ＷＣＤＭＡ／ＨＳＰＡ、ＧＳＭ／ＧＥＲＡＮ、Ｗｉ Ｆｉ、ＷＬＡＮ、ＣＤＭＡ２０００などを受信および／または送信する、任意のＲＡＴまたはマルチＲＡＴシステムに適用可能である。
【０１１１】
アンテナノード：本明細書で使用されるように、「アンテナノード」は、特定のサービスエリアまたは方向をカバーする１つまたは複数のビームを生成することができる装置である。アンテナノードは基地局であってもよいし、基地局の一部であってもよい。
【０１１２】
通信設計に精通した者によって容易に理解されるように、その機能手段またはモジュールは、デジタルロジックおよび／または１つ以上のマイクロコントローラ、マイクロプロセッサ、または他のデジタルハードウエアを使用して実装されてもよい。いくつかの実施形態では、さまざまな機能のいくつかまたはすべては単一の特定用途向け集積回路（ＡＳＩＣ）、またはそれらの間の適切なハードウェアおよび／またはソフトウェアインターフェースを有する２つ以上の別個のデバイスなどにおいて、一緒に実装されてもよい。機能のいくつかは、例えば、無線デバイスまたはネットワークノードの他の機能構成要素と共有されるプロセッサ上で実装され得る。
【０１１３】
あるいは、説明した処理手段の機能要素のいくつかは専用ハードウェアの使用によって提供されてもよく、他のものは適切なソフトウェアまたはファームウェアと関連して、ソフトウェアを実行するためのハードウェアを提供される。したがって、本明細書で使用される「プロセッサ」または「コントローラ」という用語はソフトウェアを実行することができるハードウェアを排他的に指すものではなく、デジタル信号プロセッサ（ＤＳＰ）ハードウェア、ソフトウェアを格納するための読取り専用メモリ（ＲＯＭ）、ソフトウェアおよび／またはプログラムもしくはアプリケーションデータを格納するためのランダムアクセスメモリ、および不揮発性メモリを暗黙的に含むことができるが、これらに限定されない。他のハードウェア、通常のものおよび／またはカスタムなものも含まれ得る。通信デバイスの設計者は、これらの設計選択に固有のコスト、性能、および保守のトレードオフを理解するのであろう。
【０１１４】
図８Ａを参照すると、一実施形態によれば、通信システムは、無線アクセスネットワークなどのアクセスネットワーク３２１１と、コアネットワーク３２１４とを備える、３ＧＰＰタイプのセルラネットワークなどの電気通信ネットワーク３２１０を含む。アクセスネットワーク３２１１は複数の基地局３２１２ａ、３２１２ｂ、３２１２ｃ（例えば、ＮＢ、ｅＮＢ、ｇＮＢ、または本明細書における無線ネットワークノード１２の例である他のタイプの無線アクセスポイント）を備え、それぞれは、対応するカバレッジエリア３２１３ａ、３２１３ｂ、３２１３ｃを定義する。各基地局３２１２ａ、３２１２ｂ、３２１２ｃは、有線または無線接続３２１５を介してコアネットワーク３２１４に接続可能である。第１ユーザ装置（ＵＥ）３２９１は無線デバイス１０の一例であり、カバレッジエリア３２１３ｃに位置するものが、対応する基地局３２１２ｃと無線で接続されるように構成されている。カバレッジエリア３２１３ａ内の第２のＵＥ ３２９２は、対応する基地局３２１２ａに無線で接続可能である。この例では複数のＵＥ３２９１、３２９２が示されているが、開示された実施形態は単一のＵＥがカバレッジエリア内にある状況、または単一のＵＥが対応する基地局３２１２に接続している状況に等しく適用可能である。
【０１１５】
電気通信ネットワーク３２１０はそれ自体がホストコンピュータ３２３０に接続され、ホストコンピュータ３２３０はスタンドアロンサーバ、クラウド実装サーバ、分散サーバのハードウェアおよび／またはソフトウェアで、またはサーバファーム内の処理リソースとして実施することができる。ホストコンピュータ３２３０は、サービスプロバイダの所有権または制御下にあってもよく、またはサービスプロバイダによって、またはサービスプロバイダの代わりに運用されてもよい。電気通信ネットワーク３２１０とホストコンピュータ３２３０との間の接続３２２１、３２２２は、コアネットワーク３２１４からホストコンピュータ３２３０に直接延在することができ、または任意選択の中間ネットワーク３２２０を介して進むことができる。中間ネットワーク３２２０は、公衆ネットワーク、プライベートネットワーク、またはホストネットワークのうちの１つ、または２つ以上の組み合わせとすることができ、中間ネットワーク３２２０はもしあれば、バックボーンネットワークまたはインターネットとすることができ、特に、中間ネットワーク３２２０は、2つ以上のサブネットワーク（図示せず）を含むことができる。
【０１１６】
図８Ａの通信システムは、全体として、接続されたＵＥ３２９１、３２９２のうちの１つとホストコンピュータ３２３０との間の接続を可能にする。接続性は、オーバー・ザ・トップ（ＯＴＴ）接続３２５０として説明することができる。ホストコンピュータ３２３０および接続されたＵＥ３２９１、３２９２は、アクセスネットワーク３２１１、コアネットワーク３２１４、任意の中間ネットワーク３２２０、および可能なさらなるインフラストラクチャ（図示せず）を媒介として使用して、ＯＴＴ接続３２５０を介してデータおよび／またはシグナリングを通信するように構成される。ＯＴＴ接続３２５０は、ＯＴＴ接続３２５０が通過する参加通信デバイスがアップリンク通信およびダウンリンク通信のルーティングに気付かないという意味で、透過的（トランスペアレント）であり得る。例えば、基地局３２１２は、接続されたＵＥ３２９１に転送される(例えば、ハンドオーバされる)ホストコンピュータ３２３０から発信されるデータとの着信ダウンリンク通信の過去のルーティングについて通知されなくてもよく、または通知される必要がなくてもよい。同様に、基地局３２１２は、ＵＥ３２９１からホストコンピュータ３２３０に向かう発信アップリンク通信の将来のルーティングを知っている必要はない。
【０１１７】
先の段落で論じたＵＥ、基地局、およびホストコンピュータの、一実施形態による例示的な実装形態を、図８Ｂを参照して以下に説明する。通信システム３３００では、ホストコンピュータ３３１０が通信システム３３００の異なる通信デバイスのインターフェースとの有線または無線接続をセットアップおよび維持するように構成された通信インターフェース３３１６を含むハードウェア３３１５を有する。ホストコンピュータ３３１０は、記憶および／または処理能力を有することができる処理回路３３１８をさらに有する。具体的には、処理回路３３１８が１つまたは複数のプログラマブルプロセッサ、特定用途向け集積回路、フィールドプログラマブルゲートアレイ、または指示を実行するように適合されたこれらの組合せ(図示せず)を有することができる。ホストコンピュータ３３１０は、ホストコンピュータ３３１０に格納されているか、またはホストコンピュータ３３１０によってアクセス可能であり、処理回路３３１８によって実行可能なソフトウェア３３１１をさらに有する。ソフトウェア３３１１は、ホストアプリケーション３３１２を含む。ホストアプリケーション３３１２は、ＵＥ３３３０およびホストコンピュータ３３１０で終端するＯＴＴ接続３３５０を介して接続するＵＥ３３３０などのリモートユーザにサービスを提供するように動作可能であってもよい。リモートユーザにサービスを提供する際に、ホストアプリケーション３３１２は、ＯＴＴ接続３３５０を使用して送信されるユーザデータを提供することができる。
【０１１８】
通信システム３３００はさらに、通信システム内に提供され、ホストコンピュータ３３１０およびＵＥ３３３０と通信することを可能にするハードウェア３３２５を有する基地局３３２０を含む。ハードウェア３３２５は、通信システム３３００の異なる通信デバイスのインターフェースとの有線または無線接続をセットアップおよび維持するための通信インターフェース３３２６、ならびに基地局３３２０によってサービスされるカバレッジエリア（図８Ｂには示されていない）に位置するＵＥ ３３３０との少なくとも無線接続３３７０をセットアップおよび維持するための無線インターフェース３３２７を含み得る。通信インターフェース３３２６は、ホストコンピュータ３３１０0への接続３３６０を容易にするように構成することができる。接続３３６０は直接的であってもよいし、電気通信システムのコアネットワーク（図８Ｂには示されていない）を通過してもよいし、および／または電気通信システムの外部の１つ以上の中間ネットワークを通過してもよい。図示の実施形態では基地局３３２０のハードウェア３３２５が処理回路３３２８をさらに含み、処理回路３３２８は１つまたは複数のプログラマブルプロセッサ、特定用途向け集積回路、フィールドプログラマブルゲートアレイ、または指示を実行するように適合されたこれらの組合せ（図示せず）を有することができる。基地局３３２０は、内部に格納された、または外部接続を介してアクセス可能なソフトウェア３３２１をさらに有する。
【０１１９】
通信システム３３００は、既に参照されたＵＥ３３３０をさらに含む。そのハードウェア３３３５は、ＵＥ３３３０が現在位置するカバレッジエリアにサービスを提供する基地局との無線接続３３７０をセットアップし、維持するように構成された無線インターフェース３３３７を含み得る。ＵＥ３３３０のハードウェア３３３５は、処理回路３３３８をさらに有し、処理回路３３３８は、１つまたは複数のプログラマブルプロセッサ、特定用途向け集積回路、フィールドプログラマブルゲートアレイ、または指示を実行するように適合されたこれらの組合せ(図示せず)を有することができる。ＵＥ３３３０は、ＵＥ３３３０に格納されるか、またはＵＥ３３３０によってアクセス可能であり、処理回路３３３８によって実行可能であるソフトウェア３３３１をさらに有する。ソフトウェア３３３１は、クライアントアプリケーション３３３２を含む。クライアントアプリケーション３３３２は、ホストコンピュータ３３１０のサポートにより、ＵＥ３３３０を介して人間または非人間のユーザにサービスを提供するように動作可能であってもよい。ホストコンピュータ３３１０では、実行中のホストアプリケーション３３１２がＵＥ３３３０およびホストコンピュータ３３１０で終端するＯＴＴ接続３３５０を介して、実行中のクライアントアプリケーション３３３２と通信することができる。ユーザにサービスを提供する際に、クライアントアプリケーション３３３２は、ホストアプリケーション３３１２から要求データを受信し、要求データに応答してユーザデータを提供することができる。ＯＴＴ接続３３５０は、要求データとユーザデータの両方を転送することができる。クライアントアプリケーション３３３２は、ユーザと相互作用して、それが提供するユーザデータを生成することができる。
【０１２０】
図８Ｂに示されるホストコンピュータ３３１０、基地局３３２０、およびＵＥ ３３３０は、それぞれ、ホストコンピュータ３２３０、基地局３２１２ａ、３２１２ｂ、３２１２ｃのうちの１つ、および図８ＡのＵＥ３２９１、３２９２のうちの１つと同一であり得ることに留意されたい。すなわち、これらのエンティティの内部動作は図８Ｂに示されるようなものであってもよく、独立して、周囲のネットワークトポロジは図８Ａのものであってもよい。
【０１２１】
図８Ｂでは、ＯＴＴ接続３３５０がいかなる中間デバイスも明示的に参照することなく、基地局３３２０を介したホストコンピュータ３３１０とユーザ装置３３３０との間のコミュニケーション、およびこれらのデバイスを介したメッセージの正確なルーティングを示すために抽象的に描かれている。ネットワークインフラストラクチャは、ＵＥ３３３０から、またはホストコンピュータ３３１０を操作するサービスプロバイダから、またはその両方から隠すように構成され得るルーティングを決定し得る。ＯＴＴ接続３３５０がアクティブである間、ネットワークインフラストラクチャは（例えば、負荷分散（ロードバランシング）の考慮またはネットワークの再構成に基づいて）ルーティングを動的に変更する決定をさらに行うことができる。
【０１２２】
ＵＥ３３３０と基地局３３２０との間の無線接続３３７０は、本開示全体にわたって説明される実施形態の教示に従う。様々な実施形態のうちの１つまたは複数は、無線接続３３７０が最後のセグメントを形成するＯＴＴ接続３３５０を使用して、ＵＥ３３３０に提供されるＯＴＴサービスの性能を改善する。より正確には、これらの実施形態の教示がビームがそれほど重く負荷されていないので性能を改善することができ、これは待ち時間に影響を及ぼすことができ、それによって、ユーザ待ち時間の短縮、およびより良好な応答性などの利点を提供することができる。
【０１２３】
１つまたは複数の実施形態が改善するデータレート、待ち時間、および他の要因を監視する目的で、測定手順を提供することができる。さらに、測定結果の変動に応答して、ホストコンピュータ３３１０とＵＥ３３３０との間のＯＴＴ接続３３５０を再構成するためのオプションのネットワーク機能があってもよい。ＯＴＴ接続３３５０を再構成するための測定手順および／またはネットワーク機能は、ホストコンピュータ３３１０のソフトウェア３３１１、またはＵＥ３３３０のソフトウェア３３３１、またはその両方において実装され得る。実施形態ではセンサ（図示せず）がＯＴＴ接続３３５０が通過する通信デバイスに配備されるか、またはそれに関連して配備されてもよく、センサは上で例示された監視量の値を供給することによって、またはソフトウェア３３１１、３３３１が監視量を計算または推定することができる他の物理量の値を供給することによって、測定手順に参加することができる。ＯＴＴ接続３３５０の再構成はメッセージフォーマット、再送信設定、好ましいルーティングなどを含むことができ、再構成は、基地局３３２０に影響を及ぼす必要はなく、基地局３３２０には知られていないか、または知覚できないことがある。このような手順および機能性は当技術分野で公知であり、実践され得る。いくつかの実施形態では、測定がスループット、伝搬時間、待ち時間などのホストコンピュータ３３１０の測定を容易にする独自のＵＥ信号を含むことができる。測定は、ソフトウェア３３１１、３３３１が伝搬時間、エラーなどを監視しながら、ＯＴＴ接続３３５０を使用して、メッセージ、特に空または「ダミー」メッセージを送信させることによって実施することができる。
【０１２４】
図９は、一実施形態による、通信システムにおいて実施される方法を示すフローチャートである。通信システムはホストコンピュータ、基地局、およびＵＥを含み、ＵＥは、図８Ａおよび図８Ｂを参照して説明されたものであってもよい。本開示を簡単にするために、図９に対する図面参照のみがこのセクションに含まれる。本方法の第１のステップ３４１０において、ホストコンピュータはユーザデータを提供する。第１のステップ３４１０の任意選択のサブステップ３４１１において、ホストコンピュータは、ホストアプリケーションを実行することによってユーザデータを提供する。第２のステップ３４２０において、ホストコンピュータは、ＵＥへのユーザデータを搬送する送信を開始する。任意選択の第３のステップ３４３０において、基地局は、本開示全体にわたって説明される実施形態の教示に従って、ホストコンピュータが開始した送信において搬送されたユーザデータをＵＥに送信する。任意選択の第４のステップ３４４０において、ＵＥは、ホストコンピュータによって実行されるホストアプリケーションに関連するクライアントアプリケーションを実行する。
【０１２５】
図１０は、一実施形態による、通信システムにおいて実施される方法を示すフローチャートである。通信システムはホストコンピュータ、基地局、およびＵＥを含み、ＵＥは、図８Ａおよび図８Ｂを参照して説明されたものであってもよい。本開示を簡単にするために、図１０に対する図面参照のみがこのセクションに含まれる。本方法の第１のステップ３５１０において、ホストコンピュータはユーザデータを提供する。任意のサブステップ（図示せず）において、ホストコンピュータがホストアプリケーションを実行することによってユーザデータを提供する。第２のステップ３５２０において、ホストコンピュータは、ＵＥへのユーザデータを搬送する送信を開始する。送信は、本開示全体にわたって説明される実施形態の教示に従って、基地局を介して渡され得る。オプションの第３のステップ３５３０において、ＵＥは、送信において搬送されたユーザデータを受信する。
【０１２６】
図１１は、一実施形態による、通信システムにおいて実施される方法を示すフローチャートである。通信システムはホストコンピュータ、基地局、およびＵＥを含み、ＵＥは、図８Ａおよび図８Ｂを参照して説明されたものであってもよい。本開示を簡単にするために、図１１に対する図面参照のみがこのセクションに含まれる。本方法の任意選択の第１のステップ３６１０において、ＵＥは、ホストコンピュータによって提供される入力データを受信する。追加的にまたは代替的に、オプションの第２のステップ３６２０において、ＵＥは、ユーザデータを提供する。第２のステップ３６２０の任意選択のサブステップ３６２１において、ＵＥは、クライアントアプリケーションを実行することによってユーザデータを提供する。第１のステップ３６１０のさらなる任意選択のサブステップ３６１１において、ＵＥは、ホストコンピュータによって提供された受信入力データに応答してユーザデータを提供するクライアントアプリケーションを実行する。ユーザデータを提供する際に、実行されるクライアントアプリケーションは、ユーザから受け取ったユーザ入力をさらに考慮することができる。ユーザデータが提供された特定の方法にかかわらず、ＵＥは、任意の第３のサブステップ３６３０において、ホストコンピュータへのユーザデータの送信を開始する。本方法の第４のステップ３６４０において、ホストコンピュータは、本開示全体にわたって説明される実施形態の教示に従って、ＵＥから送信されたユーザデータを受信する。
【０１２７】
図１２は、一実施形態による、通信システムにおいて実施される方法を示すフローチャートである。通信システムはホストコンピュータ、基地局、およびＵＥを含み、ＵＥは、図８Ａおよび図８Ｂを参照して説明されたものであってもよい。本開示を簡単にするために、図１２に対する図面参照のみがこのセクションに含まれる。方法の任意選択の第１のステップ３７１０では、本開示全体にわたって説明される実施形態の教示に従って、基地局はＵＥからユーザデータを受信する。任意選択の第２のステップ３７２０では、基地局は、受信したユーザデータのホストコンピュータへの送信を開始する。第３のステップ３７３０において、ホストコンピュータは、基地局によって開始された送信で搬送されたユーザデータを受信する。
【０１２８】
前述の説明および添付の図面は、本明細書で教示される方法および装置の非限定的な例を表すことが理解されるのであろう。したがって、本明細書で教示される装置および技法は、前述の説明および添付の図面によって限定されない。代わりに、本明細書の実施形態は、以下の特許請求の範囲およびそれらの法的均等物によってのみ限定される。
【図１】
2020532203.tif 000003
【図２ａ】
2020532203.tif 000004
【図２ｂ】
2020532203.tif 000005
【図２ｃ】
2020532203.tif 000006
【図３】
2020532203.tif 000007
【図４】
2020532203.tif 000008
【図５】
2020532203.tif 000009
【図６】
2020532203.tif 000010
【図７】
2020532203.tif 000011
【図８Ａ】
2020532203.tif 000012
【図８Ｂ】
2020532203.tif 000013
【図９】
2020532203.tif 000014
【図１０】
2020532203.tif 000015
【図１１】
2020532203.tif 000016
【図１２】
2020532203.tif 000017
【手続補正書】
【提出日】令和1年6月20日(2019.6.20)
【手続補正１】
【補正対象書類名】特許請求の範囲
【補正対象項目名】全文
【補正方法】変更
【補正の内容】
【特許請求の範囲】
【請求項１】
無線通信ネットワーク（１）における無線デバイス（１０）の通信を処理するために前記無線デバイス（１０）によって実行される方法であって、前記無線通信ネットワーク（１）における無線ネットワークノード（１２）がセル上で無線カバレッジを提供し、前記方法は、
前記無線ネットワークノード（１２）から、前記無線デバイス（１０）が第１の状態にあるとき、前記無線デバイス（１０）がスリープ状態からアクティブ状態への状態遷移または初期アクセスの間に、セルのどの１つまたは複数のビームを選択することを許可されるかを示すビーム構成を受信すること（２１１）と、
前記無線ネットワークノード（１２）から、前記初期アクセスを拒否する拒否指標を、前記セルに再びアクセスする方法に関する追加情報を伴って受信すること（２１３）であって、前記無線ネットワークノード（１２）からの前記拒否指標は負荷分散の考慮に基づいている、ことと、
前記ビーム構成と前記拒否指標を考慮して、前記セルへの初期アクセスまたは状態遷移を実行する（２１２）ことを含む、方法。
【請求項２】
請求項１に記載の方法であって、前記ビーム構成は、強度または品質の閾値、不要ビームのリスト、好ましいビームのリスト、許可されたビームのリスト、または許可されていないビームのリストを含み、それによって、前記ビーム構成は、前記無線デバイスが前記状態遷移または前記初期アクセスの間に選択することを許可される前記セルの１つまたは複数のビームを示す、方法。
【請求項３】
請求項１または２に記載の方法であって、前記セルへの前記初期アクセスまたは前記状態遷移を実行すること（２１２）は、前記受信されたビーム構成に基づいて、ビームを選択または再選択することを含む、方法。
【請求項４】
請求項１から３のいずれか１項に記載の方法であって、前記ビーム構成は、システム情報における構成情報として、前記初期アクセスの拒否の間に、または、ランダムアクセス要求に対する応答として、受信される、方法。 
【請求項５】
無線通信ネットワーク（１）における無線デバイス（１０）の通信を処理するために無線ネットワークノード（１２）によって実行される方法であって、前記無線ネットワークノード（１２）は、前記無線通信ネットワーク（１）におけるセル上で無線カバレッジを提供し、前記方法は
前記無線デバイス（１０）が第１の状態にあるときに、前記無線デバイスが初期アクセスまたはスリープ状態からアクティブ状態への状態遷移の間に選択することが許可される１つまたは複数のビームを示すビーム構成を、前記無線デバイス（１０）に送信すること（２２１）と、
負荷分散の考慮に基づいて前記初期アクセスを拒否すること（２２２）と、前記セルに再びアクセスする方法に関する追加情報を前記無線デバイスに提供することを含む、方法。
【請求項６】
請求項５に記載の方法であって、前記ビーム構成は、強度または品質の閾値、不要ビームのリスト、好ましいビームのリスト、許可されたビームのリスト、許可されていないビームのリストを含み、それによって、前記ビーム構成は、前記状態遷移または初期アクセスの間に前記無線デバイスが選択することを許可される前記セルの１つまたは複数のビームを示す、方法。
【請求項７】
請求項５または６に記載の方法であって、前記ビーム構成は、システム情報における構成情報として、前記初期アクセスの拒否の間に、またはランダムアクセス要求に対する応答として、提供される、方法。 
【請求項８】
無線通信ネットワーク（１）における運用に適合された無線デバイス（１０）であって、無線通信ネットワーク（１）における無線ネットワークノードはセル上で無線カバレッジを提供するように構成され、前記無線デバイスは、
前記無線ネットワークノード（１２）から、前記無線デバイス（１０）が第１の状態にあるとき、前記無線デバイスがスリープ状態からアクティブ状態への状態遷移または初期アクセスの間に、セルのどの１つまたは複数のビームを選択することを許可されるかを示すビーム構成を受信し、
前記無線ネットワークノード（１２）から、前記初期アクセスを拒否する拒否指標を、前記セルに再びアクセスする方法に関する追加情報を伴って受信し、ここで、前記無線ネットワークノード（１２）からの前記拒否指標は負荷分散の考慮に基づいており、
前記ビーム構成と前記拒否指標を考慮して、前記セルへの初期アクセスまたは状態遷移を実行する、ように構成される、無線デバイス。
【請求項９】
請求項８に記載の無線デバイス（１０）であって、前記ビーム構成は、強度または品質の閾値、不要ビームのリスト、好ましいビームのリスト、許可されたビームのリスト、または許可されていないビームのリストを含み、それによって、前記ビーム構成は、前記無線デバイスが前記状態遷移または初期アクセスの間に選択することを許可される前記セルの１つまたは複数のビームを示す、無線デバイス。
【請求項１０】
請求項８または９に記載の無線デバイス（１０）であって、前記無線デバイス（１０）は、前記受信されたビーム構成に基づいて、ビームを選択または再選択することによって、前記セルへの前記初期アクセスまたは前記状態遷移を実行するように構成される、無線デバイス。 
【請求項１１】
請求項８から１０のいずれか１項に記載の無線デバイス（１０）であって、ビーム構成は、システム情報における構成情報として、前記初期アクセスの拒否の間に、または、ランダムアクセス要求に対する応答として受信される、無線デバイス。 
【請求項１２】
無線通信ネットワーク（１）における無線デバイス（１０）の通信を処理するための無線ネットワークノード（１２）であって、前記無線ネットワークノード（１２）は、無線通信ネットワーク（１）におけるセル（１１）上で無線カバレッジを提供するように構成され、前記無線ネットワークノード（１２）は、
前記無線デバイス（１０）が第１の状態にあるときに、前記無線デバイスが初期アクセスまたはスリープ状態からアクティブ状態への状態遷移の間に選択することを許可される１つまたは複数のビームを示すビーム構成を前記無線デバイスに送信し、
負荷分散の考慮に基づいて前記初期アクセスを拒否し、前記セルに再びアクセスする方法に関する追加情報を前記無線デバイスに提供するように構成される、無線ネットワークノード。
【請求項１３】
請求項１２に記載の無線ネットワークノード（１２）であって、前記ビーム構成は、強度または品質の閾値、不要ビームのリスト、好ましいビームのリスト、許可されたビームのリスト、または許可されていないビームのリストを含み、それによって、前記ビーム構成は、前記状態遷移または前記初期アクセスの間に前記無線デバイスが選択することを許可される前記セルの１つまたは複数のビームを示す、無線ネットワークノード。
【請求項１４】
請求項１２または１３に記載の無線ネットワークノード（１２）であって、ビーム構成は、システム情報における構成情報として、前記初期アクセスの拒否の間に、またはランダムアクセス要求に対する応答として、提供される、無線ネットワークノード。 
【国際調査報告】
2020532203.tif 000018
2020532203.tif 000019
2020532203.tif 000020